(57)【要約】【課題】箱体内に内容物を上下二段に分けて収容でき、下部空間内の内容物が上方に移動しても、上部空間内の内容物を保護できる包装箱を提供する。【解決手段】包装箱１であって、箱体９０と、箱体９０に収容された支持体１０と、を有している。支持体１０は、上段板２０および下段板３０と、上段板２０および下段板３０の両側に配置され、箱体９０の内面に重ねられた一対の縦壁５０，５０と、を備えている。上段板２０および下段板３０は、上下方向に間隔を空けて両縦壁５０，５０の間に介設されている。両縦壁５０，５０の上部が上段板２０の上面よりも上方に突出しているとともに、両縦壁５０，５０の下部が下段板３０の下面よりも下方に突出している。【選択図】図１
2020158170.tif 000002
【特許請求の範囲】
【請求項１】
箱体と、
前記箱体に収容された支持体と、を有する包装箱であって、
前記支持体は、
前記箱体の内部を上下に区画している上段板および下段板と、
前記上段板および前記下段板の両側に配置され、前記箱体の側壁の内面に重ねられた一対の縦壁と、を備え、
前記上段板および前記下段板は、上下方向に間隔を空けて前記両縦壁の間に介設されており、
前記両縦壁の上部が前記上段板の上面よりも上方に突出しているとともに、
前記両縦壁の下部が前記下段板の下面よりも下方に突出していることを特徴とする包装箱。
【請求項２】
請求項１に記載の包装箱であって、
前記上段板には、内容物の下部が嵌め込まれる開口部が形成されていることを特徴とする包装箱。
【請求項３】
請求項２に記載の包装箱であって、
前記上段板には、複数の前記開口部が間隔を空けて形成されていることを特徴とする包装箱。
【請求項４】
請求項１から請求項３のいずれか一項に記載の包装箱であって、
前記両縦壁は、前記上段板および前記下段板の左右両側に配置されており、
前記下段板の後縁部には、罫線を介して後端壁の下縁部が連設され、
前記後端壁の上縁部には、罫線を介して前記上段板の後縁部が連設され、
前記上段板の前縁部には、罫線を介して前端壁の上縁部が連設され、
前記前端壁の下縁部が前記下段板の前縁部に連結されていることを特徴とする包装箱。
【請求項５】
請求項１から請求項４のいずれか一項に記載の包装箱であって、
前記下段板の縁部には、罫線を介して前記縦壁の下部の上縁部が連設され、
前記縦壁の下部から上部が上方に延びており、
前記縦壁の上部は、前記下段板から切り離された部位であることを特徴とする包装箱。
【発明の詳細な説明】
【技術分野】
【０００１】
本発明は、包装箱に関する。
【背景技術】
【０００２】
箱体の内部を一枚の仕切り板によって上下に区画し、下部空間に重量物を収容するとともに、上部空間に軽量物を収容するように構成されている包装箱がある（例えば、特許文献１参照）。
【先行技術文献】
【特許文献】
【０００３】
【特許文献１】特開２００９−０２３７１３号公報
【発明の概要】
【発明が解決しようとする課題】
【０００４】
前記した従来の包装箱では、搬送時に下部空間内の重量物が上方に移動した際に、その運動エネルギーが上部空間の軽量物に直接的に作用するため、軽量物が破損してしまう場合がある。例えば、米を詰めた米袋を下部空間に収容し、卵を入れた卵パックを上部空間に収容した場合に、搬送時に米袋の上方に移動して卵が割れてしまう場合がある。
【０００５】
本発明は、前記した問題を解決し、箱体内に内容物を上下二段に分けて収容でき、下部空間内の内容物が上方に移動しても、上部空間内の内容物を保護できる包装箱を提供することを課題とする。
【課題を解決するための手段】
【０００６】
前記課題を解決するため、本発明は、包装箱であって、箱体と、前記箱体に収容された支持体と、を有している。前記支持体は、前記箱体の内部を上下に区画している上段板および下段板と、前記上段板および前記下段板の両側に配置され、前記箱体の側壁の内面に重ねられた一対の縦壁と、を備えている。前記上段板および前記下段板は、上下方向に間隔を空けて前記両縦壁の間に介設されている。前記両縦壁の上部は前記上段板の上面よりも上方に突出し、前記両縦壁の下部は前記下段板の下面よりも下方に突出している。
【０００７】
本発明の包装箱では、左右の縦壁が下段板よりも下方に突出しているため、箱体に支持体を収容すると、両縦壁の下端部が箱体の底板の上面に当接し、下段板は箱体の底板の上方に配置される。これにより、箱体の底板と下段板との間に下部空間が形成されるとともに、箱体の頂板と上段板との間に上部空間が形成される。
【０００８】
本発明の包装箱では、左右の縦壁が上段板よりも上方に突出しており、箱体に支持体を収容したときに、両縦壁の上端部が箱体の頂板の下面に当接または近接する。これにより、支持体が箱体内で上下に移動しようとすると、両縦壁がストッパーとなり、支持体が上下に大きく移動するのを抑えることができる。
【０００９】
本発明の包装箱では、左右の縦壁が箱体の左右の側壁の内面に重ねられているため支持体が箱体内で左右に移動するのを抑えることができる。また、上段板、下段板または縦壁の前後の縁部が箱体の前後の側壁に当接または近接することで、支持体が箱体内で前後に移動するのを抑えることができる。
【００１０】
本発明の包装箱では、上段板と下段板との間に空間が形成されており、下段板の下側と上段板の上側とにそれぞれ内容物が収容される。この構成では、搬送時に下部空間内の内容物が上方に移動した際に、その運動エネルギーが上部空間の内容物に直接的に作用し難いため、上部空間内の内容物が破損するのを防ぐことができる。
【００１１】
前記した包装箱において、前記上段板に内容物の下部が嵌め込まれる開口部を形成することで、上部空間内の内容物を宙吊りに支持することが好ましい。この構成では、上部空間内の内容物の下端部が衝撃を受け難くなる。
【００１２】
また、前記上段板に複数の前記開口部を間隔を空けて形成した場合には、上部空間に複数の内容物を収容し、それらの内容物の間に他の内容物を収容できる。
【００１３】
前記した包装箱において、前記両縦壁を前記上段板および前記下段板の左右両側に配置し、前記下段板の後縁部には、罫線を介して後端壁の下縁部を連設するとともに、前記後端壁の上縁部には、罫線を介して前記上段板の後縁部を連設してもよい。さらに、前記上段板の前縁部には、罫線を介して前端壁の上縁部を連設し、前記前端壁の下縁部を前記下段板の前縁部に連結してもよい。
また、前記下段板の縁部には、罫線を介して前記縦壁の下部の上縁部を連設し、前記縦壁の下部から上部が上方に延びている場合には、前記縦壁の上部を前記下段板から切り離した部位によって形成できる。
【００１４】
下段板、後端壁、上段板および前端壁を罫線を介して連設したり、下段板に左右の縦壁を罫線を介して連設したりすると、支持体を構成するパーツを少なくでき、ひいては、支持体を一枚のブランクシートによって構成することもできる。
【発明の効果】
【００１５】
本発明の包装箱では、箱体内に内容物を上下二段に分けて収容でき、箱体の上部空間と下部空間との間に隙間が形成されるため、下部空間内の内容物が上方に移動しても、上部空間内の内容物を保護できる。
【図面の簡単な説明】
【００１６】
【図１】本発明の実施形態に係る箱体および支持体を前方左上から見た斜視図である。
【図２】本発明の実施形態に係る支持体のブランクシートを示した図である。
【図３】本発明の実施形態に係る包装箱を示した正面断面図である。
【図４】本発明の実施形態に係る支持体を前方左上から見た斜視図である。
【図５】本発明の実施形態に係る支持体において上段板を組み立てる前の状態を示した斜視図である。
【発明を実施するための形態】
【００１７】
本発明の実施形態について、適宜図面を参照しながら詳細に説明する。
以下の説明において、前後左右方向とは、本実施形態の包装箱を説明する上で便宜上設定したものであり、包装箱の構成や使用形態を限定するものではない。
【００１８】
本実施形態の包装箱１は、図１に示すように、箱体９０と、箱体９０に収容される支持体１０と、を備えている。
箱体９０は、Ａ式の段ボール箱であり、前後左右の側壁９１，９２，９３，９４によって角筒状の胴部が形成されている。また、箱体９０には、胴部の上側開口部を閉塞する頂板９５（図３参照）と、胴部の下側開口部を閉塞する底板９６（図３参照）と、が設けられている。なお、箱体９０は、頂板９５および底板９６を有している箱であれば、その形式は限定されるものではない。
【００１９】
支持体１０は、図１に示すように、箱体９０の内部を上下に区画する上段板２０および下段板３０と、上段板２０および下段板３０の左右両側に配置された左右一対の縦壁５０，５０と、を備えている。上段板２０および下段板３０は、上下方向に間隔を空けて左右の縦壁５０，５０の間に介設されている。
【００２０】
支持体１０は、図２に示すように、一枚の段ボール製のシートを切り抜いたブランクシートＳを各罫線において山折りまたは谷折りすることで形成される。図２に示すブランクシートＳは内面側が見えるように配置されている。
ブランクシートＳの各罫線（折線）は、ブランクシートＳの表面を押し込んで形成された線状の溝である。なお、罫線に切れ込みを断続的に形成してもよい。このようにすると、罫線においてブランクシートＳを折り曲げ易くなる。
【００２１】
下段板３０は、図１に示すように、箱体９０の下部に嵌め込まれる平板である（図３参照）。支持体１０を箱体９０に入れたときに、下段板３０の前縁部は箱体９０の前側壁９１の内面に当接または近接するとともに、下段板３０の後縁部は箱体９０の後側壁９２の内面に当接または近接する。
【００２２】
下段板３０の後縁部には、図４に示すように、罫線を介して後端壁４１の下縁部が連設されている。後端壁４１は、下段板３０の後縁部に沿って形成された帯状の部位である。後端壁４１は、下段板３０に対して垂直に立ち上げられている。
【００２３】
後端壁４１の上縁部には、罫線を介して上段板２０の後縁部が連設されている。上段板２０は、図１に示すように、箱体９０の上部に嵌め込まれる平板である（図３参照）。支持体１０を箱体９０に入れたときに、上段板２０の前縁部が箱体９０の前側壁９１の内面に当接または近接するとともに、上段板２０の後縁部が箱体９０の後側壁９２の内面に当接または近接する。
【００２４】
上段板２０の前縁部には、図４に示すように、罫線を介して前端壁４２の上縁部が連設されている。前端壁４２は、上段板２０の前縁部に沿って形成された帯状の部位である。前端壁４２は、上段板２０に対して下方に向けて垂直に延びている。
【００２５】
前端壁４２の下縁部の中央部には、係止片４３が突出している。係止片４３は、基端部の左右方向の幅よりも先端部の左右方向の幅が大きく形成されている（図２参照）。
係止片４３の基端部を下段板３０の前縁部に形成された凹部３１に対して前方から差し込むことで、係止片４３の先端部が下段板３０の下面に係止されている。これにより、前端壁４２の下縁部が下段板３０の前縁部に連結されている。
【００２６】
このように、下段板３０の前後の縁部には、同じ高さの前端壁４２および後端壁４１が立ち上げられており、上段板２０の前後の縁部は前端壁４２および後端壁４１の上縁部に支持されている。これにより、上段板２０と下段板３０とは、図３に示すように、上下に間隔を空けて平行に配置される。そして、上段板２０の上面と下段板３０の下面との間に隙間Ｋ３（空間）が形成される。
【００２７】
下段板３０の左縁部には、図４に示すように、罫線を介して左側の縦壁５０の下部５２の上縁部の前部および後部が連設されている。左側の縦壁５０の下部５２は、下段板３０の左縁部に沿って形成された帯状の部位である。左側の縦壁５０の下部５２は、下段板３０に対して垂直に配置されている。縦壁５０の下部５２は、下段板３０の下面よりも下方に突出している。
【００２８】
左側の縦壁５０の上部５１は、下部５２の上縁部の中央部から上方に向けて延びている四角形の部位である。このように、左側の縦壁５０の上部５１は、上段板２０の上面よりも上方に突出している。
左側の縦壁５０の上部５１は、下段板３０から切り離された部位である。図２に示すブランクシートＳでは、左側の縦壁５０の上部５１はスリットを介して下段板３０に連続している。
図５に示すように、下段板３０に対して左側の縦壁５０の下部５２を下向きに折り曲げると、下部５２に連動して上部５１が上側に傾き、上部５１が下段板３０から切り離される。
【００２９】
下段板３０の右縁部には、図４に示すように、罫線を介して右側の縦壁５０が連設されている。右側の縦壁５０と左側の縦壁５０とは左右対称な構成である。したがって、右側の縦壁５０も上段板２０の上面よりも上方に突出するとともに、下段板３０の下面よりも下方に突出している。
【００３０】
図３に示すように、支持体１０を箱体９０に入れたときに、左側の縦壁５０の外面が箱体９０の左側壁９３の内面に重なるとともに、右側の縦壁５０の外面が箱体９０の右側壁９４の内面に重なる。
また、図１に示すように、支持体１０を箱体９０に入れたときに、縦壁５０の下部５２の前縁部が箱体９０の前側壁９１の内面に当接または近接しているとともに、縦壁５０の下部５２の後縁部が箱体９０の後側壁９２の内面に当接または近接している。
【００３１】
また、図３に示すように、支持体１０を箱体９０に入れたときに、縦壁５０の下端部は箱体９０の底板９６の上面に当接する。これにより、左右の縦壁５０，５０によって下段板３０が底板９６の上方に支持される。そして、底板９６の上面と下段板３０の下面との間には下部空間Ｋ１が形成される。
【００３２】
また、支持体１０を箱体９０に入れたときに、縦壁５０の上端部は箱体９０の頂板９５の下面に当接または近接する。そして、頂板９５の下面と上段板２０の上面との間には上部空間Ｋ２が形成される。
【００３３】
本実施形態では、下部空間Ｋ１には米を詰めた米袋２を収容する。また、上部空間Ｋ２には、卵を入れた卵パック３を二つ収容するとともに、液体調味料を封入した液体用パック４を収容する。なお、本実施形態の包装箱１に収容される内容物は限定されるものではない。
下部空間Ｋ１の高さ（底板９６と下段板３０との間の高さ）は、米袋２を収容可能な高さに設定されている。
【００３４】
上段板２０には、図４に示すように、左右の開口部２１，２１が左右方向に間隔を空けて形成されている。開口部２１は四角形に形成されている。開口部２１には、図３に示すように、上部空間Ｋ２に収容された卵パック３の下部が嵌め込まれる。
卵パック３の下端部（底部）は、開口部２１を通じて隙間Ｋ３に突出している、また、卵パック３の上部は開口部２１の開口縁部に嵌め合わされている。また、卵パック３の下面は下段板３０の上面から離れている。
包装箱１では、卵パック３の上部が上部空間Ｋ２内に収まるように、頂板９５と上段板２０との間の高さが設定されている。また、卵パック３が箱体９０内に宙吊りに収容されるように、上段板２０と下段板３０との間の高さが設定されている。
【００３５】
また、上段板２０において、左右の開口部２１，２１の間の領域には、図４に示すように、中央開口部２２が形成されている。図２に示すブランクシートＳでは、中央開口部２２は折り返し片２３に塞がれている。図４に示すように、折り返し片２３を中央開口部２２の前側に折り返すことで中央開口部２２が開口する。
中央開口部２２は、図３に示すように、上部空間Ｋ２に収容された液体用パック４の下部が入り込む部位である。これにより、液体用パック４が上段板２０の中央部に位置決めされる。
【００３６】
以上のような包装箱１では、図３に示すように、左右の縦壁５０，５０が下段板３０よりも下方に突出しているため、箱体９０に支持体１０を収容すると、両縦壁５０，５０の下端部が箱体９０の底板９６の上面に当接する。
これにより、下段板３０は箱体９０の底板９６の上方に配置され、箱体９０の底板９６と下段板３０との間に下部空間Ｋ１が形成される。
【００３７】
本実施形態の包装箱１では、左右の縦壁５０，５０が上段板２０よりも上方に突出しており、両縦壁５０，５０の上端部が箱体９０の頂板９５の下面に当接または近接しているため、支持体１０が箱体９０内で上下に大きく移動するのを抑えることができる。
【００３８】
本実施形態の包装箱１では、左右の縦壁５０，５０が箱体９０の左右の側壁９３，９４の内面に重ねられているため、支持体１０が箱体９０内で左右に大きく移動するのを抑えることができる。また、上段板２０、下段板３０および縦壁５０の前後の縁部が箱体９０の前後の側壁９１，９２に当接または近接しているため、支持体１０が箱体９０内で前後に大きく移動するのを抑えることができる。
【００３９】
このように、本実施形態の包装箱１では、搬送時に支持体１０が箱体９０に対してずれないため、箱体９０に収容した内容物を搬送時に安定させることができる。
【００４０】
本実施形態の包装箱１では、上段板２０と下段板３０との間に隙間Ｋ３が形成されている。これにより、搬送時に下部空間Ｋ１内の米袋２が上方に移動した際に、その運動エネルギーが上部空間Ｋ２内の卵パック３に直接的に作用しない。したがって、本実施形態の包装箱１では、搬送時に上部空間Ｋ２内の卵パック３を保護できる。
【００４１】
本実施形態の包装箱１では、上段板２０に卵パック３の下部が嵌め込まれる開口部２１が形成されており、卵パック３が宙吊りに収容されている。したがって、本実施形態の包装箱１では、卵パック３の下端部が衝撃を受け難い。
【００４２】
本実施形態の包装箱１では、上段板２０の左右の開口部２１，２１が左右方向に間隔を空けて形成されているため、二つの卵パック３，３の間に液体用パック４を収容できる。
【００４３】
本実施形態の包装箱１では、図４に示すように、下段板３０、後端壁４１、上段板２０および前端壁４２が罫線を介して連設されているとともに、下段板３０に左右の縦壁５０，５０が罫線を介して連設されている。このように、支持体１０が一枚のブランクシートＳ（図２参照）によって構成されており、ブランクシートＳの各部を折り曲げることで、支持体１０を簡単に組み立てることができる。
【００４４】
以上、本発明の実施形態について説明したが、本発明は前記実施形態に限定されることなく、その趣旨を逸脱しない範囲で適宜に変更が可能である。
本実施形態の支持体１０では、図４に示すように、上段板２０に開口部２１および中央開口部２２が形成されているが、開口部２１および中央開口部２２の形状や数は限定されるものではなく、内容物に応じて形成される。また、上段板２０に開口部を形成することなく、上段板２０の上面に内容物を載置してもよい。
【００４５】
本実施形態の支持体１０では、縦壁５０の上部５１と下部５２とが一体に形成されているが、縦壁５０の上部５１と下部５２とを別体に形成してもよい。この場合には、上段板２０の縁部に罫線を介して縦壁５０の上部５１を連設するとともに、下段板３０の縁部に罫線を介して縦壁５０の下部５２を連設する。
【００４６】
また、下段板３０の左右の縁部に罫線を介して縦壁５０の上部の下縁部を連設し、縦壁５０の上部から下部を下方に延ばしてもよい。この場合には、縦壁５０の下部を下段板３０から切り離した部位とすることができる。つまり、本実施形態の支持体１０における縦壁５０を下段板３０に対して上下逆向きに折り曲げてもよい。
【００４７】
本実施形態の包装箱１では、図３に示すように、米袋２の上面と下段板３０との間に隙間が形成されるように、下部空間Ｋ１の高さが設定されているが、米袋２の上面と下段板３０の下面とが当接するように、下部空間Ｋ１の高さを設定してもよい。このように下部空間Ｋ１の高さに設定すると、米袋２の上方への移動を防ぐことができるため、搬送時に上部空間Ｋ２内の卵パック３を確実に保護できる。
【００４８】
本実施形態の包装箱１は段ボール製であるが、各種公知の板紙によって包装箱１を形成できる。
【符号の説明】
【００４９】
１      包装箱
２      米袋（内容物）
３      卵パック（内容物）
４      液体用パック（内容物）
１０    支持体
２０    上段板
２１    開口部
２２    中央開口部
３０    下段板
４１    後端壁
４２    前端壁
４３    係止片
５０    縦壁
９０    箱体
９１    側壁
９２    後側壁
９３    左側壁
９４    右側壁
９５    頂板
９６    底板
Ｋ１    下部空間
Ｋ２    上部空間
Ｋ３    隙間
Ｓ      ブランクシート
【図１】
2020158170.tif 000003
【図２】
2020158170.tif 000004
【図３】
2020158170.tif 000005
【図４】
2020158170.tif 000006
【図５】
2020158170.tif 000007